(57)【要約】      （修正有）【課題】トラブルの原因となる能力以上の被細断文書や異物の侵入の未然防止と安全確保を実現するとともに、それでもトラブルが起こってしまった場合の事後処理の容易性と安全性の確保できるようにした文書細断機の被細断文書投入口を具現化する。【解決手段】回動自在なＬ字形板状部材で構成される安全シャッター機構７が、平時は被細断物の挿入方向への回動が規制されているが、トラブルが起こった後は、引き抜き方向に自由回動して開口部６の間隔が開くようにしたことにより、トラブルの原因となる能力以上の被細断文書や異物の侵入の未然防止と安全確保と、トラブルが起こってしまった場合の事後処理の容易性と安全性の確保が両立するようにした。【選択図】        図１
2004321993.tif 000002
【特許請求の範囲】
【請求項１】
文書細断機の本体上部に投入口下板と投入口上板とを相対応するように配設して細断刃の設計上細断可能な文書の厚みより大きい間隔をもった開口部となし、当該開口部に細断可能以上の厚みの被細断文書や異物の侵入を防ぐ安全シャッター機構を設けてなる文書細断機の被細断文書投入口において、
当該安全シャッター機構は、投入口の開口部を塞ぐ縦板状のシャッター部と、被細断文書の正味投入可能間隔を決定しそこを通過する文書を案内する折曲部と、
当該折曲部に連続形成されている横板状の回動腕部と、その回動腕部の先端部に設けた回動用支軸とが連続形成されてなる断面形状がＬ字形板状部材で構成され、その回動腕部の先端部に設けた回動用支軸を支点として前記Ｌ字形板状部材が回動自在なるように枢着されており、平時、当該Ｌ字形板状部材のシャッター部と前記投入口上板とがストッパーを介して衝当して被細断物の挿入方向への回動が規制されているが、そのときはＬ字形板状部材のシャッター部が下がって前記開口部の一部が塞がり、その下端の折曲部と投入口下板との間で構成される開口部の正味投入可能間隔が、設計細断可能枚数以下の厚みになるよう保持されており、投入途中の被細断文書や異物を引き抜こうとしたり、被細断文書や異物が詰まって細断刃の駆動モーターが停止したり、逆転してそれらを排出しようとしたりして当該Ｌ字形板状部材に引き抜き方向への負荷がかかったときは、シャッター部と折曲部が引き抜き方向に自由回動して開口部の間隔が開くようにしたことを特徴とした文書細断機の被細断文書投入口。
【請求項２】
Ｌ字形板状部材に引き抜き方向への負荷がかかったとき、Ｌ字形板状部材が引き抜き方向に自由回動して開口部の間隔が開いた状態となるが、その際、回動したＬ字形板状部材のシャッター部がシャッター開位置検知スイッチを作動させて、細断刃の駆動モーターの作動を停止させるようにしたことを特徴とする請求項１に記載する文書細断機の被細断文書投入口。
【請求項３】
前記Ｌ字形板状部材のシャッター部に装着したストッパーは、その衝当距離の微調整が可能なように構成するとともに、平時、前記Ｌ字形板状部材のシャッター部が当該ストッパーを介して投入口上板に衝当し、前記Ｌ字形板状部材の被細断物挿入方向への回動が規制されるように構成されておき、
当該ストッパーの衝当距離を調整することにより、Ｌ字形板状部材の折曲部と投入口下板との間で構成される開口部の正味投入可能間隔を調整できるようにしたことを特徴とする請求項１に記載する文書細断機の被細断文書投入口。
【発明の詳細な説明】
【０００１】
【産業上の利用分野】
本発明は、被細断文書投入口の開口部に安全シャッター機構が設けられており、平時は、シャッターが閉まっていて、開口部に設計細断可能枚数以下の文書しか投入できず，細断能力を超える量の文書や、手指、ネクタイ、ネックレス等の異物が侵入するのを防いでいるが、万一投入した被細断文書が詰まってしまったり、不用意に異物が侵入して細断刃の駆動モーターが緊急停止したり、自動逆転して異物を排出しようとしたり、その詰まった被細断文書や不用意に侵入した異物を引き抜こうとしてＬ字形板状部材に負荷がかかったときは、前記シャッターが開いて侵入途中の被細断文書や異物を簡単に引き抜くことができたり、詰まった紙くずを用意に除去できるようにしたり、文書細断作業を再開するための整備作業などが簡単、容易にできるようにした文書細断機の被細断文書投入口に関する。
【０００２】
【発明が解決しようとする課題】
従来より文書細断機の被細断文書投入口に細断刃の細断能力以上の厚味の被細断文書が投入しようとしたり、制限以上の厚味の異物を投入しようとすると、これを検知し、細断刃の駆動モーターを停止する機構や装置が研究開発されている。例えば、シュレッダーの被細断物投入口（特開２００２−２３９４０５号）がそれである。その先行発明の内容は、シュレッダーの被細断物投入口の通路に、被細断物の厚味を検知する検知機構を設け、所定の厚味以上の被細断物が通過した場合に細断刃の駆動モーターを停止するものである。またその検知機構は、厚味制限筒体であって、投入口側板間に架設した支軸に回動可能に軸支し、コイルバネによってフロントシュートカバー側に付勢すると共にリアエンドカバーで回動を規制し、細断可能枚数を規制し、また、厚味制限筒体の後壁に近接してマイクロスイッチを設け、厚味制限筒体の回動によってマイクロスイッチが作動して細断刃の駆動モーターを停止するようにしたシュレッダーの被細断物投入口であった。
【０００３】
これは投入されてきた被細断物の厚味を検知して、設定以上の厚味の場合には細断刃の駆動モーターを停止して、文書細断機に過剰負荷がかかるのを未然に防ぐとともに、異物の侵入を防止して未然に安全を確保しようとする点で一定の効果がある。しかし、不用意に能力以上の文書が侵入してしまったり、手指、ネクタイ、ネックレスなどの異物が不用意に侵入してしまうなどの異常が一旦起こってしまうと、細断刃の駆動モーターに過剰な負荷がかかってしまったり、投入された文書や異物が詰まってしまうなどのトラブルが発生する。一旦このようなトラブルが発生すると、これを引き抜いたり、詰まった紙を除去したり、文書細断作業の再開にむけて調整したりするなどのトラブルの事後処理作業が必要になる。
【０００４】
一般に、このトラブルの事後処理作業は、困難なことが多いが、先行発明のように、シュレッダーの被細断物投入口の通路上に被細断物の厚味を検知する検知機構を設けてあると、これが邪魔になって、かえってトラブルの事後処理作業が困難なものになってしまう。
【０００５】
本発明は、このような従来例の技術課題を解消するもので、トラブルの原因となる能力以上の被細断文書や異物の侵入の未然防止と安全確保を実現するとともに、それでもトラブルが起こってしまった場合の事後処理の容易性と安全性の確保できるようにした文書細断機の被細断文書投入口を具現化せんとしたものである。
【０００６】
【解決するための手段】
本発明は、前記技術的課題を解決するための手段として、次のように構成した。
【０００７】
特許を受けようとする第１発明は、文書細断機の本体上部に投入口下板と投入口上板とを相対応するように配設して細断刃の設計上細断可能な文書の厚みより大きい間隔をもった開口部となし、当該開口部に細断可能以上の厚みの被細断文書や異物の侵入を防ぐ安全シャッター機構を設けてなる文書細断機の被細断文書投入口において、当該安全シャッター機構は、投入口の開口部を塞ぐ縦板状のシャッター部と、被細断文書の正味投入可能間隔を決定しそこを通過する文書を案内する折曲部と、当該折曲部に連続形成されている横板状の回動腕部と、その回動腕部の先端部に設けた回動用支軸とが連続形成されてなる断面形状がＬ字形板状部材で構成され、その回動腕部の先端部に設けた回動用支軸を支点として前記Ｌ字形板状部材が回動自在なるように枢着されており、平時、当該Ｌ字形板状部材のシャッター部と前記投入口上板とがストッパーを介して衝当して被細断物の挿入方向への回動が規制されているが、そのときはＬ字形板状部材のシャッター部が下がって前記開口部の一部が塞がり、その下端の折曲部と投入口下板との間で構成される開口部の正味投入可能間隔が、設計細断可能枚数以下の厚みになるよう保持されており、投入途中の被細断文書や異物を引き抜こうとしたり、被細断文書や異物が詰まって細断刃の駆動モーターが停止したり、逆転してそれらを排出しようとしたりして当該Ｌ字形板状部材に引き抜き方向への負荷がかかったときは、Ｌ字形板状部材が引き抜き方向に自由回動して開口部の間隔が開くようにしたことを特徴とした文書細断機の被細断文書投入口である。
【０００８】
当該第１発明の大きな特徴は、回動自在なＬ字形板状部材で構成される安全シャッター機構が平時は、被細断物の挿入方向への回動が規制されているが、トラブルが起こった後は、引き抜き方向に自由回動して開口部の間隔が開くようにしたことにより、トラブルの原因となる能力以上の被細断文書や異物の侵入の未然防止と安全確保と、トラブルが起こってしまった場合の事後処理の容易性と安全性の確保が両立するようにした点にある。
【０００９】
特許を受けようとする第２発明は、Ｌ字形板状部材に引き抜き方向への負荷がかかったとき、Ｌ字形板状部材が引き抜き方向に自由回動して開口部の間隔が開いた状態となるが、その際、回動したＬ字形板状部材のシャッター部がシャッター開位置検知スイッチを作動させて、細断刃の駆動モーターの作動を停止させるようにしたことを特徴とする第１発明に記載する文書細断機の被細断文書投入口である。
【００１０】
当該第２発明は、トラブルが起こってしまった場合の事後処理の際に、細断刃の駆動モーターの作動を停止させてその作業の安全性を確保せんとするものである。
【００１１】
特許を受けようとする第３発明は、前記Ｌ字形板状部材のシャッター部に装着したストッパーは、その衝当距離の微調整が可能なように構成するとともに、平時、前記Ｌ字形板状部材のシャッター部が当該ストッパーを介して投入口上板に衝当し、前記Ｌ字形板状部材の被細断物挿入方向への回動が規制されるように構成されておき、当該ストッパーの衝当距離を調整することにより、Ｌ字形板状部材の折曲部と投入口下板との間で構成される開口部の正味投入可能間隔を調整できるようにしたことを特徴とする第１発明に記載する文書細断機の被細断文書投入口である。
【００１２】
当該、第３発明は、トラブルの原因となる能力以上の被細断文書や異物の侵入の未然防止策として構成された開口部の正味投入可能間隔を、前記Ｌ字形板状部材のシャッター部に装着したストッパーの衝当距離の微調整によって、簡単に行えるようにしたものである。
【００１３】
【実施例】
以下、本発明を図示実施例に基づいて詳細に説明する。
図１は、本発明に係る文書細断機の被細断文書投入口を設けた上部細断機構部分を示す縦断説明図であり、図２は、本発明に係る文書細断機の被細断文書投入口の構成を示す要部縦断側面図であり、図３は、文書細断機の本体上部に投入口下板と投入口上板とを相対応するように配設して細断刃の設計上細断可能な文書の厚みより大きい間隔をもって構成される開口部と、そこに装着するシャッター機構を構成するＬ字形板状部材との関係を示すアッパーカバー関係の斜視図であり、図４は、Ｌ字形板状部材のシャッター部に装着した衝当距離の微調整が可能なストッパーの一実施例を示す要部構成側面図である。
【００１４】
図１、図２、図３に示すように、本発明に係る文書細断機の被細断文書投入口１は、文書細断機の本体上部位置にあるアッパーカバー２に設けられており、それは投入口下板３と投入口上板４とが相対応するように配設構成されたもので、その大きさは、細断刃５，５が設計上細断可能な文書の厚みより大きい間隔Ａをもった開口部６となっている。当該開口部６に細断可能能力以上の厚みの被細断文書Ｐや異物の侵入を防ぐ安全シャッター機構７を設けてなるものである。
【００１５】
当該安全シャッター機構７は、投入口の開口部６を塞ぐ縦板状のシャッター部８と、被細断文書の正味投入可能間隔Ｂを決定し、そこを通過する文書を案内する折曲部９と、当該折曲部９に連続形成されている横板状の回動腕部１０と、その回動腕部１０の先端部に設けた回動用支軸１１とが連続形成されてなる断面形状がＬ字形板状部材１２で構成され、その回動腕部１０の先端部に設けた回動用支軸１１，１１を支点として前記Ｌ字形板状部材１２が回動自在なるように枢着されている。
【００１６】
当該安全シャッター機構７は、平時、当該Ｌ字形板状部材１２のシャッター部８と前記投入口上板４とがストッパー１３を介して衝当して被細断物の挿入方向Ｃへの回動が規制されている。そのときはＬ字形板状部材１２のシャッター部８が下がって前記開口部の一部が塞がり、その下端の折曲部９と投入口下板３との間で構成される開口部６の正味投入可能間隔Ａが、設計細断可能枚数以下の厚みになるよう保持されており、投入途中の被細断文書Ｐや異物を引き抜こうとしたり、被細断文書Ｐや異物が詰まって細断刃５、５の駆動モーター１４が停止したり、逆転してそれらを排出しようとしたりして当該Ｌ字形板状部材１２に引き抜き方向への負荷がかかったときは、Ｌ字形板状部材１２が引き抜き方向Ｄに自由回動して開口部６の間隔が開くように構成されている。
【００１７】
尚、図示実施例では、Ｌ字形板状部材１２に引き抜き方向Ｄへの負荷がかかったとき、当該Ｌ字形板状部材１２は引き抜き方向に回動して開口部６の間隔が開いた状態となるが、その際、回動したＬ字形板状部材１２のシャッター部８が図２に示すようにシャッター開位置検知スイッチ１５を作動させて、細断刃の駆動モーター１４の作動を停止させるように構成されている。シャッター部８が開いている間は、細断刃５，５の駆動モーター１４の作動を停止させて、事後処理作業中の安全性を確保せんとするものである。
【００１８】
図４には、前記Ｌ字形板状部材１２のシャッター部８に装着した衝当距離の微調整が可能なストッパー１３である。具体的にはシャッター部８にボルト１６を螺着しておき、その先端部が投入口上板４に衝当するようになす。尚、図中１７は、緩み止めナットである。これを用いて衝当距離の微調整をするには、ボルト１６を回転させてその突出量を調整し緩み止めナットで固定するのである。このように簡単な操作で当該ストッパーの衝当距離を調整し、Ｌ字形板状部材の折曲部と投入口下板との間で構成される開口部の正味投入可能間隔を調整できるようにしたものである。
【図面の簡単な説明】
【図１】本発明に係る文書細断機の被細断文書投入口を設けた上部細断機構部分を示す縦断説明図である。
【図２】本発明に係る文書細断機の被細断文書投入口の構成を示す要部縦断側面図である。
【図３】文書細断機の本体上部に投入口下板と投入口上板とを相対応するように配設して細断刃の設計上細断可能な文書の厚みより大きい間隔をもって構成される開口部と、そこに装着するシャッター機構を構成するＬ字形板状部材との関係を示すアッパーカバー関係の斜視図である。
【図４】Ｌ字形板状部材のシャッター部に装着した衝当距離の微調整が可能なストッパーの一実施例を示す要部構成側面図である。
【符号の説明】
１：被細断文書投入口
２：アッパーカバー
３：投入口下板
４：投入口上板
５：細断刃
６：開口部
７：安全シャッター機構
８：シャッター部
９：折曲部
１０：回動腕部
１１：回動用支軸
１２：Ｌ字形板状部材
１３：ストッパー
１４：駆動モーター
１５：シャッター開位置検知スイッチ
１６：ボルト
１７：緩み止めナット
Ａ：間隔
Ｂ：被細断文書の正味投入可能間隔
Ｃ：挿入方向
Ｄ：引き抜き方向
Ｐ：被細断文書
【図１】
2004321993.tif 000003
【図２】
2004321993.tif 000004
【図３】
2004321993.tif 000005
【図４】
2004321993.tif 000006